(57)【要約】【課題】ユーザ装置が所属するネットワークに応じた無線回線制御装置間の通信回線を選択可能な無線通信システムを提供する。【解決手段】複数のネットワークによって共有される無線アクセスネットワークの無線回線制御装置であって、判別部１１１と選択部１１２を備える。判別部１１１は、ユーザ装置が所属するネットワークを判別する。選択部１１２は、判別部１１１での判別結果に従って、自装置と他の無線回線制御装置との間の通信回線を選択する。【選択図】図１
2009171239.tif 000002
【特許請求の範囲】
【請求項１】
複数のネットワークが無線アクセスネットワークを共有する無線通信システムに用いられる無線回線制御装置であって、
ユーザ装置が所属するネットワークを判別する判別部と、
前記判別結果に従って、自装置と他の無線回線制御装置との間の通信回線を選択する選択部とを有する無線回線制御装置。
【請求項２】
前記選択部は、前記ネットワークと無線通信制御装置間の通信回線とを対応付けて記憶するデータベースを参照し、自装置と前記他の無線回線制御装置との間の通信回線を選択する、請求項１に記載の無線回線制御装置。
【請求項３】
前記選択部は、前記ユーザ装置が所属するネットワーク以外のネットワークが保有するコアネットワークノードを経由しない通信回線を選択する、請求項１又は２に記載の無線回線制御装置。
【請求項４】
前記選択部は、選択した前記通信回線に対応するアドレスを前記他の無線回線制御装置に送信する、請求項１乃至３の何れか一に記載の無線回線制御装置。
【請求項５】
前記通信回線が、ＡＡＬ２  ｓｗｉｔｃｈｉｎｇ（ATM Adaptation Layer2 switching）を用いたＩｕｒ回線を含む、請求項１乃至４の何れか一に記載の無線回線制御装置。
【請求項６】
前記無線回線制御装置間の通信回線が、ＰＶＣ（Permanent Virtual Circuit）を用いた直結Ｉｕｒ回線を含む、請求項１乃至５の何れか一に記載の無線回線制御装置。
【請求項７】
複数のネットワークが無線アクセスネットワークを共有する無線通信システムであって、
第１の無線通信エリアの制御を行う第１の無線回線制御装置と、第２の無線通信エリアの制御を行う第２の無線回線制御装置とを有し、
前記第１の無線回線制御装置は、ユーザ装置が前記第１の無線通信エリアから前記第２の無線通信エリアに移動する際に、前記ユーザ装置が所属するネットワークを判別し、該判別結果に従って、前記第２の無線回線制御装置との間の通信回線を選択する無線通信システム。
【請求項８】
前記第１の無線回線制御装置は、前記第２の無線回線制御装置との間の通信回線の中から、前記判別したユーザ装置が所属するネットワーク以外のネットワークが保有するネットワークノードを経由しない通信回線を選択する、請求項７に記載の無線通信システム。
【請求項９】
前記第１の無線回線制御装置は、配下のユーザ装置に対して各種機能を提供しており、前記第２の無線回線制御装置との間の通信回線に、前記判別したユーザ装置が所属するネットワークに対して使用可能な通信回線が存在しないときは、前記ユーザ装置に各種機能を提供する無線回線制御装置を、前記第２の無線回線制御装置に再配置する処理を行う、請求項８に記載の無線通信システム。
【請求項１０】
複数のネットワークが無線アクセスネットワークを共有する無線通信システムにおける無線回線制御装置の制御方法であって、
ユーザ装置が所属するネットワークを判別するステップと、
前記判別結果に従って、前記無線回線制御装置と他の無線回線制御装置との間の通信回線を選択するステップとを有する制御方法。
【請求項１１】
前記選択するステップでは、前記ネットワークと無線通信制御装置間の通信回線とを対応付けて記憶するデータベースを参照し、前記無線回線制御装置と他の無線回線制御装置との間の通信回線を選択する、請求項１０に記載の制御方法。
【請求項１２】
前記選択するステップでは、前記ユーザ装置が所属するネットワーク以外のネットワークが保有するネットワークノードを経由しない通信回線を選択する、請求項１１に記載の制御方法。
【請求項１３】
第１の無線通信エリアの制御を行う第１の無線回線制御装置と、第２の無線通信エリアの制御を行う第２の無線回線制御装置とを含み、複数のネットワークが無線アクセスネットワークを共有する無線通信システムの制御方法であって、
前記ユーザ装置が前記第１の無線通信エリアから前記第２の無線通信エリアに移動する際に、前記ユーザ装置が所属するネットワークを判別し、該判別結果に従って、前記第１の無線回線制御装置と前記第２の無線回線制御装置との間の通信回線を選択する制御方法。
【請求項１４】
複数のネットワークが無線アクセスネットワークを共有する無線通信システムにおける無線回線制御装置を制御するプログラムであって、
ユーザ装置が所属するネットワークを判別する処理と、
前記判別結果に従って、前記無線回線制御装置と他の無線回線制御装置との間の通信回線を選択する処理とを実行させるプログラム。
【請求項１５】
第１の無線通信エリアの制御を行う第１の無線回線制御装置と、第２の無線通信エリアの制御を行う第２の無線回線制御装置とを含み、複数のネットワークが無線アクセスネットワークを共有する無線通信システムを制御するプログラムであって、
前記ユーザ装置が前記第１の無線通信エリアから前記第２の無線通信エリアに移動する際に、前記ユーザ装置が所属するネットワークを判別し、該判別結果に従って、前記第１の無線回線制御装置と前記第２の無線回線制御装置との間の通信回線を選択する処理を実行させるプログラム。
【発明の詳細な説明】
【技術分野】
【０００１】
本発明は、無線回線制御装置及び無線通信システムに関し、更に詳しくは、複数のネットワークが無線アクセスネットワークを共有する無線通信システム、及び、そのような無線通信システムに用いられる無線回線制御装置に関する。また、本発明は、上記無線通信システムの制御方法及びプログラムに関する。
【背景技術】
【０００２】
無線アクセスネットワークであるＲＡＮ（Radio Access Network）を、ＲＡＮに接続されるネットワークである複数のＰＬＭＮ（Public Land Mobile Network）が共有するＮｅｔｗｏｒｋ  Ｓｈａｒｉｎｇが知られている（非特許文献１）。本明細書では、この機能をＲＡＮ  Ｓｈａｒｉｎｇと呼ぶ。ＲＡＮ  Ｓｈａｒｉｎｇでは、複数のＰＬＭＮが１つのＲＡＮを使用できる。ＲＡＮは、複数の無線回線制御装置（ＲＮＣ（Radio Network Controller））を含む。ＡＡＬ２  ｓｗｉｔｃｈｉｎｇ（ATM Adaptation Layer2 switching）を用いた場合、ＲＮＣ間を接続するＩｕｒ回線は、例えばＰＬＭＮのコアネットワークノードであるＭＧＷ（Media Gateway）を経由して構成することができる。
【０００３】
ＲＡＮ  Ｓｈａｒｉｎｇについて説明する。図６に、ＲＡＮ  Ｓｈａｒｉｎｇを示す。ＣＮ＃Ａ２２１は、ＰＬＭＮ＃Ａが所有するコアネットワーク（ＣＮ：Core Network)である。ＣＮ＃Ｂ２２２は、ＰＬＭＮ＃Ｂが所有するコアネットワークである。ＲＡＮ＃１（２１０）は、ＲＮＣ＃１（２１１）を有する。ＲＮＣ＃１（２１１）は、論理的なインタフェースであるＩｕを通じて、ＣＮ＃Ａ２２１とＣＮ＃Ｂ２２２との双方に接続可能である。ＲＡＮ  Ｓｈａｒｉｎｇを使用しない場合、より広い意味では、Ｎｅｔｗｏｒｋ  Ｓｈａｒｉｎｇしない場合には、１つのＲＡＮは、１つのＰＬＭＮによって使用される。ＲＡＮ  Ｓｈａｒｉｎｇを使用する場合、複数のＰＬＭＮ（ＰＬＭＮ＃Ａ、ＰＬＭＮ＃Ｂ）は、１つのＲＡＮ＃１（２１０）を共有して使用することができる。
【０００４】
【非特許文献１】3GPP TR 22.951 V6.1.0 (3rd Generation Partnership Project Technical Specification Group Services and System Aspects Service aspects and requirements for network sharing (Release 6))
【発明の開示】
【発明が解決しようとする課題】
【０００５】
ＲＡＮでは、近隣ＲＮＣごとに最大１つのＩｕｒ回線を構成する。ＲＮＣ間で通信を行う際には、ユーザ装置の所属ネットワークが何れであっても、同じＩｕｒ回線が使用される。例えば、図６で、ＲＮＣ＃１（２１１）が、図示しない近接する別のＲＮＣとの間でＩｕｒ回線を用いて通信を行う場合は、ユーザ装置が所属するＰＬＭＮがＰＬＭＮ＃Ａであっても、ＰＬＭＮ＃Ｂであっても、同じＩｕｒ回線が使用される。ＲＮＣ間のＩｕｒ回線は、ＰＬＭＮ＃Ａにとっては適当であっても、ＰＬＭＮ＃Ｂにとっては適当でない場合もある。すなわち、ＡＡＬ２  ｓｗｉｔｃｈｉｎｇを用いてＩｕｒ回線を構成した場合、Ｉｕｒ回線は、ＭＧＷを経由することがある。一般に、ＭＧＷはコアネットワークのノードであり、ＲＡＮの一部ではない。このため、ＲＡＮ  Ｓｈａｒｉｎｇにおいて、本来共有されるべきではないＭＧＷも共有されることになるという問題が発生する。以下、これについて説明する。
【０００６】
図７に、ＲＡＮを示す。ＲＮＣ＃１（２１１）は、セル＃１（２４１）、セル＃２（２４２）を配下に置き、ＲＮＣ＃２（２１２）は、セル＃３（２４３）、セル＃４（２４４）を配下に置く。ＲＮＣ＃１（２１１）とＲＮＣ＃２（２１２）との間のＩｕｒ回線は、ＡＡＬ２パス（以下、単にパスとも呼ぶ）＃Ａで構成される。ＭＧＷ＃Ａ２３１は、ＰＬＭＮ＃Ａが所有するメディアゲートウェイであり、ＰＬＭＮ＃ＡのＣＮ＃Ａ２２１内のノードである。ＭＧＷ＃Ｂは、ＰＬＭＮ＃Ｂが所有するメディアゲートウェイであり、ＰＬＭＮ＃ＢのＣＮ＃Ｂ２２２内のノードである。
【０００７】
ＲＮＣ＃１（２１１）とＲＮＣ＃２（２１２）との間のパス＃Ａは、ＲＮＣ＃１（２１１）から、ＭＧＷ＃Ａ２３１を経由してＲＮＣ＃２（２１２）に至る。ＲＡＮ  Ｓｈａｒｉｎｇにより、ＲＮＣ＃１（２１１）、ＲＮＣ＃２（２１２）、及び、セル＃１〜セル＃４（２４１〜２４４）は、ＰＬＭＮ＃ＡとＰＬＭＮ＃Ｂとによって共有される。なお、実際には、ＲＮＣ配下にはＮｏｄｅＢが存在し、ＮｏｄｅＢ配下にセルが存在するが、図７では、ＮｏｄｅＢは省略して図示している。
【０００８】
図７において、ＰＬＭＮ＃Ｂに所属するＵＥ（User Equipment）＃Ｂ２５２が、ＲＮＣ＃１（２１１）配下のセル＃２（２４２）からＲＮＣ＃２（２１２）配下のセル＃３（２４３）へハンドオーバする場合を考える。この場合、Ｃｏｎｔｒｏｌ−ｐｌａｎｅデータ及びＵｓｅｒ−ｐｌａｎｅデータ（以下、本明細書では、これらを区別せずに、単にデータとも呼ぶ）は、パス＃Ａを使用して、ＲＮＣ＃１（２１１）からＲＮＣ＃２（２１２）へ送信される。これは、ＲＮＣ＃１（２１１）とＲＮＣ＃２（２１２）との間のＩｕｒ回線が、ＵＥが所属するＰＬＭＮにかかわらず、パス＃Ａで構成されているためである。パス＃Ａは、ＭＧＷ＃Ａ（２３１）を通るように構成されているため、ＲＡＮ  Ｓｈａｒｉｎｇにおいて、本来共有されるべきではないＭＧＷが共有されることになり問題である。
【０００９】
上記のように、非特許文献１に記載のシステムでは、無線回線制御装置間の通信に、ユーザ装置が所属するネットワークに応じた通信回線を選ぶことができないという問題がある。この問題が生じる原因は、ユーザ装置の所属ネットワークにかかわらず、無線回線制御装置間の通信に同じＩｕｒ回線が使用されるところにある。また、これによって、複数のネットワークが無線アクセスネットワークを共有する無線通信システムにおいて、複数のネットワークが、無線アクセスネットワークだけでなく、コアネットワークノードまでも共有するという問題もある。
【００１０】
本発明は、上記問題点を解消し、ユーザ装置が所属するネットワークに応じた無線回線制御装置間の通信回線を選択可能な無線回線制御装置、無線通信システム、制御方法、及び、プログラムを提供することを目的とする。
【課題を解決するための手段】
【００１１】
上記目的を達成するために、本発明の無線回線制御装置は、複数のネットワークが無線アクセスネットワークを共有する無線通信システムに用いられる無線回線制御装置であって、ユーザ装置が所属するネットワークを判別する判別部と、前記判別結果に従って、自装置と他の無線回線制御装置との間の通信回線を選択する選択部とを有することを特徴とする。
【００１２】
本発明の無線通信システムは、複数のネットワークが無線アクセスネットワークを共有する無線通信システムであって、第１の無線通信エリアの制御を行う第１の無線回線制御装置と、第２の無線通信エリアの制御を行う第２の無線回線制御装置とを有し、前記第１の無線回線制御装置は、ユーザ装置が前記第１の無線通信エリアから前記第２の無線通信エリアに移動する際に、前記ユーザ装置が所属するネットワークを判別し、該判別結果に従って、前記第２の無線回線制御装置との間の通信回線を選択することを特徴とする。
【００１３】
本発明の無線回線制御装置の制御方法は、複数のネットワークが無線アクセスネットワークを共有する無線通信システムにおける無線回線制御装置の制御方法であって、ユーザ装置が所属するネットワークを判別するステップと、前記判別結果に従って、前記無線回線制御装置と他の無線回線制御装置との間の通信回線を選択するステップとを有することを特徴とする。
【００１４】
本発明の無線通信システムの制御方法は、第１の無線通信エリアの制御を行う第１の無線回線制御装置と、第２の無線通信エリアの制御を行う第２の無線回線制御装置とを含み、複数のネットワークが無線アクセスネットワークを共有する無線通信システムの制御方法であって、前記ユーザ装置が前記第１の無線通信エリアから前記第２の無線通信エリアに移動する際に、前記ユーザ装置が所属するネットワークを判別し、該判別結果に従って、前記第１の無線回線制御装置と前記第２の無線回線制御装置との間の通信回線を選択することを特徴とする。
【００１５】
本発明のプログラムは、複数のネットワークが無線アクセスネットワークを共有する無線通信システムにおける無線回線制御装置を制御するプログラムであって、ユーザ装置が所属するネットワークを判別する処理と、前記判別結果に従って、前記無線回線制御装置と他の無線回線制御装置との間の通信回線を選択する処理とを実行させることを特徴とする。
【００１６】
本発明のプログラムは、第１の無線通信エリアの制御を行う第１の無線回線制御装置と、第２の無線通信エリアの制御を行う第２の無線回線制御装置とを含み、複数のネットワークが無線アクセスネットワークを共有する無線通信システムを制御するプログラムであって、前記ユーザ装置が前記第１の無線通信エリアから前記第２の無線通信エリアに移動する際に、前記ユーザ装置が所属するネットワークを判別し、該判別結果に従って、前記第１の無線回線制御装置と前記第２の無線回線制御装置との間の通信回線を選択する処理を実行させることを特徴とする。
【発明の効果】
【００１７】
本発明の無線回線制御装置、無線通信システム、制御方法、及び、プログラムでは、ユーザ装置が所属するネットワークに応じた無線回線制御装置間の通信回線を選択できる。
【発明を実施するための最良の形態】
【００１８】
本発明の実施の形態の説明に先立って、本発明の概要について説明する。図１に、本発明の無線回線制御装置の構成を示す。無線回線制御装置１１０は、判別部１１１と、選択部１１２とを有する。無線回線制御装置１１０は、複数のネットワークが無線アクセスネットワークを共有する無線通信システムに用いられる。判別部１１１は、ユーザ装置が所属するネットワークを判別する。選択部１１２は、判別部１１１での判別結果に従って、自装置と他の無線回線制御装置との間の通信回線を選択する。選択部１１２が、判別結果に従って、自装置と他の無線回線制御装置との間の通信回線を選択することで、ユーザ装置が所属するネットワークに応じた無線回線制御装置間の通信回線を選択できる。特に、選択部１１２により、ユーザ装置が所属するネットワーク以外のネットワークが保有するコアネットワークノードを経由しない通信回線を選択することで、複数のネットワークが無線アクセスネットワークを共有する無線通信システムにおいて、コアネットワークノードを共有せずに、無線回線制御装置間の通信を行うことができる。
【００１９】
以下、本発明の実施の形態を詳細に説明する。図２に、本発明の一実施形態の無線通信システムを示す。無線通信システムは、ＲＡＮ（無線アクセスネットワーク）を構成するＲＮＣ（無線回線制御装置）＃１（１１）、ＲＮＣ＃２（１２）、セル＃１〜＃４（４１〜４４）、ＭＧＷ＃Ａ３１、ＭＧＷ＃Ｂ３２を有する。この無線通信システムは、複数のＰＬＭＮのネットワーク（ＣＮ＃Ａ２１、ＣＮ＃Ｂ２２）によって共有される。ＲＮＣ＃１（１１）は、セル＃１（４１）、セル＃２（４２）を配下に置き、ＲＮＣ＃２（１２）は、セル＃３（４３）、セル＃４（４４）を配下に置く。ＭＧＷ＃Ａ３１は、ＰＬＭＮ＃Ａが保有するメディアゲートウェイであり、ＣＮ＃Ａ２１内のノードである。ＭＧＷ＃Ｂ３２は、ＰＬＭＮ＃Ｂが保有するメディアゲートウェイであり、ＣＮ＃Ｂ２２内のノードである。
【００２０】
本実施形態は、ＲＮＣ＃１（１１）とＲＮＣ＃２（１２）との間に登録されたＩｕｒ回線が、ＭＧＷ＃Ａ３１を経由するパス＃Ａに加えて、ＭＧＷ＃Ｂ３２を経由するパス＃Ｂを有する点で、図７に示す構成と相違する。なお、図２では、ＡＡＬ２  ｓｗｉｔｃｈｉｎｇに使用するノードの例として、メディアゲートウェイ（ＭＧＷ＃Ａ３１、ＭＧＷ＃Ｂ３２）を例に挙げて説明するが、ノードは、転送機能を有するノードであればＭＧＷでなくても良い。例えば、ＭＳＣ（Mobile Switching Center）とすることも可能である。
【００２１】
図３に、ＲＮＣの構成を示す。ＲＮＣ＃１（１１）は、所属ＰＬＭＮ判別部１０１、パス選択部１０２、データベース１０３、及び、所属ＰＬＭＮ記憶部１０４を有する。ＲＮＣ＃２（１２）についても、同様の要素を有していてよい。所属ＰＬＭＮ記憶部１０４は、ＵＥと、そのＵＥのＲｅｇｉｓｔｅｒｅｄ  ＰＬＭＮ（所属ネットワーク）との対応関係を記憶する。ここで、Ｒｅｇｉｓｔｅｒｅｄ  ＰＬＭＮとは、ＵＥがＣＳ  Ｄｏｍａｉｎ又はＰＳ  Ｄｏｍａｉｎに対して位置登録されているＣＮノードを所有するＰＬＭＮを指す。ＳＲＮＣ（Serving RNC）であるＲＮＣ＃１（１１）は、位置登録手順の中でＵＥのＲｅｇｉｓｔｅｒｅｄ  ＰＬＭＮを知ることができる。ＳＮＲＣは、位置登録手順後に、ＵＥのＲｅｇｉｓｔｅｒｅｄ  ＰＬＭＮを、ＵＥと対応付けて所属ＰＬＭＮ記憶部１０４に記憶する。位置登録手順は、当業者にとってはよく知られており、また本発明とは直接関係しないので、その詳細な説明は省略する。
【００２２】
ＲＮＣ＃１（１１）は、ＤＲＮＣ（Drift RNC）であるＲＮＣ＃２（１２）との間に、複数のＩｕｒ回線を有する。複数のＩｕｒ回線は、複数のＰＬＭＮのそれぞれに対応している。つまり、ＲＮＣ＃１（１１）は、ＲＮＣ＃２（１２）との間に、ＰＬＭＮ＃Ａに対応するＩｕｒ回線（パス＃Ａ）と、ＰＬＭＮ＃Ｂに対応するＩｕｒ回線（パス＃Ｂ）とを有する。データベース１０３は、ＰＬＭＮと、Ｉｕｒ回線との対応関係を記憶する。
【００２３】
所属ＰＬＭＮ判別部１０１は、所属ＰＬＭＮ記憶部１０４を参照して、ＵＥのＲｅｇｉｓｔｅｒｅｄ  ＰＬＭＮを判別する。パス選択部１０２は、データベース１０３を参照して、所属ＰＬＭＮ判別部１０１が判別したＰＬＭＮに対応するＩｕｒ回線（パス）を調べ、そのパスを、ＳＲＮＣとＤＲＮＣとの間のＩｕｒ回線として選択する。
【００２４】
図２及び図３を参照して、ＵＥ＃Ａ５１が、セル＃２（４２）からセル＃３（４３）へハンドオーバする場合の動作を説明する。ＵＥ＃Ａ５１のＲｅｇｉｓｔｅｒｅｄ  ＰＬＭＮは、ＰＬＭＮ＃Ａである。この情報は、所属ＰＬＭＮ記憶部１０４に記憶されている。ハンドオーバ時、所属ＰＬＭＮ判別部１０１は、所属ＰＬＭＮ記憶部１０４を参照して、ＵＥ＃Ａ５１のＲｅｇｉｓｔｅｒｅｄ  ＰＬＭＮがＰＬＭＮ＃Ａであると判別する。パス選択部１０２は、データベース１０３を参照して、ＰＬＭＮ＃Ａに対応するＩｕｒ回線を調べ、パス＃Ａを、ＳＲＮＣ（ＲＮＣ＃１（１１））とＤＲＮＣ（ＲＮＣ＃２（１２））との間のＩｕｒ回線として選択する。その後、ＳＲＮＣは、選択されたパス＃Ａを使用して、データ送信を行う。
【００２５】
次に、ＵＥ＃Ｂ５２が、セル＃２（４２）からセル＃３（４３）へハンドオーバする場合について説明する。ＵＥ＃Ｂ５２のＲｅｇｉｓｔｅｒｅｄ  ＰＬＭＮは、ＰＬＭＮ＃Ｂである。ハンドオーバ時、所属ＰＬＭＮ判別部１０１は、所属ＰＬＭＮ記憶部１０４を参照して、ＵＥ＃ＢのＲｅｇｉｓｔｅｒｅｄ  ＰＬＭＮがＰＬＭＮ＃Ｂであると判別する。パス選択部１０２は、データベース１０３を参照して、ＰＬＭＮ＃Ｂに対応するＩｕｒ回線を調べ、パス＃Ｂを、ＳＲＮＣ（ＲＮＣ＃１（１１））とＤＲＮＣ（ＲＮＣ＃２（１２））との間のＩｕｒ回線として選択する。その後、ＳＲＮＣは、選択されたパス＃Ｂを使用して、データ送信を行う。
【００２６】
また、ＳＲＮＣは、あるＵＥがセル＃２（４２）からセル＃３（４３）へハンドオーバする際には、そのＵＥのＲｅｇｉｓｔｅｒｅｄ  ＰＬＭＮのために用意されたＩｕｒ回線を使用するようなＡＡＬ２  Ｅｎｄｐｏｉｎｔ  Ａｄｄｒｅｓｓを、ＤＲＮＣへ通知する。例えば、ＵＥ＃Ａ５１がセル＃２（４２）からセル＃３（４３）へハンドオーバする場合には、ＳＲＮＣは、パス＃Ａを使用するようなＡＡＬ２  Ｅｎｄｐｏｉｎｔ  ＡｄｄｒｅｓｓをＤＲＮＣへ通知する。また、ＵＥ＃Ｂ５２がセル＃２（４２）からセル＃３（４３）へハンドオーバする場合には、ＳＲＮＣは、パス＃Ｂを使用するようなＡＡＬ２  Ｅｎｄｐｏｉｎｔ  ＡｄｄｒｅｓｓをＤＲＮＣへ通知する。ＤＲＮＣが、そのＵＥのためにデータを送信する場合、ＳＲＮＣから通知されたＡＡＬ２  Ｅｎｄｐｏｉｎｔ  Ａｄｄｒｅｓｓに従って、Ｉｕｒ回線を選択すればよい。
【００２７】
本実施形態では、ＲＮＣ間に複数のＩｕｒ回線を用意し、ＵＥのＲｅｇｉｓｔｅｒｅｄ  ＰＬＭＮに応じて、使用するＩｕｒ回線を選択する。このようにすることで、ＵＥのＲｅｇｉｓｔｅｒｅｄ  ＰＬＭＮに応じて、データ送信に使用するパスを切替え可能である。具体的には、Ｒｅｇｉｓｔｅｒｅｄ  ＰＬＭＮがＰＬＭＮ＃ＡのＵＥ＃Ａ５１については、ＭＧＷ＃Ａ３１を経由するＩｕｒ回線（パス＃Ａ）を使用し、Ｒｅｇｉｓｔｅｒｅｄ  ＰＬＭＮがＰＬＭＮ＃ＢのＵＥ＃Ｂ５２については、ＭＧＷ＃Ｂ３２を経由するＩｕｒ回線（パス＃Ｂ）を使用することができる。従って、本実施形態では、ＲＡＮ  Ｓｈａｒｉｎｇにおいて、各ＰＬＭＮが保有するＣＮノードを共有せずにＡＡＬ２  ｓｗｉｔｃｈｉｎｇを用いたＩｕｒ回線を実現できる。
【００２８】
なお、上記実施形態では、ＲＮＣ＃１（１１）とＲＮＣ＃２（１２）との間に、それぞれＡＡＬ２  ｓｗｉｔｃｈｉｎｇを用いたＩｕｒ回線を用意したが、２つのＲＮＣ間のＩｕｒ回線には、ＡＡＬ２  ｓｗｉｔｃｈｉｎｇを用いたＩｕｒ回線以外の回線を用いることもできる。図４に、変形例の無線通信システムを示す。この例では、ＲＮＣ＃１（１１）とＲＮＣ＃２（１２）との間に、ＰＶＣ（Permanent Virtual Circuit）を用いた直結Ｉｕｒを構成している。この直結Ｉｕｒを、ＰＬＭＮ＃Ｂと対応付けてデータベース１０３に登録する。ＵＥ＃Ａ５１が、セル＃２（４２）からセル＃３（４３）へハンドオーバするときの動作は、上記実施形態と同様である。一方、ＵＥ＃Ｂ５２がハンドオーバする際には、データベース１０３を参照して、直結Ｉｕｒで構成されたパス＃Ｂが選択される。パス＃Ｂは、ＰＬＭＮ＃Ａが保有するノードを通らないので、ＲＡＮ  Ｓｈａｒｉｎｇにおいて問題となるＰＬＭＮが保有するノードが複数のＰＬＭＮ間で共有される問題を回避できる。
【００２９】
図５に、別の変形例を示す。この例では、ＲＮＣ＃１（１１）とＲＮＣ＃２（１２）との間に、パス＃Ａ以外に、ＡＡＬ２  ｓｗｉｔｃｈｉｎｇを用いたＩｕｒもＰＶＣを用いた直結Ｉｕｒも構成しない。つまり、パス＃Ｂが設定されない状態である。パス設定なしは、データベース１０３上で、ＰＬＭＮ＃Ｂに対応するエントリを空欄にしておくことで設定可能である。ＵＥ＃Ａ５１が、セル＃２（４２）からセル＃３（４３）へハンドオーバするときの動作は、上記実施形態と同様である。一方、ＵＥ＃Ｂ５２がセル＃２（４２）からセル＃３（４３）へ移動しようとする場合は、Ｉｕｒ回線が存在せず、ソフトハンドオーバできないため、ＳＲＮＳ  Ｒｅｌｏｃａｔｉｏｎ  ｗｉｔｈｏｕｔ  Ｉｕｒを起動し、ＲＮＣ＃２（１２）を、ＳＲＮＣとして再配置する。ＳＲＮＳ  Ｒｅｌｏｃａｔｉｏｎ  ｗｉｔｈｏｕｔ  Ｉｕｒについては、当業者にとってはよく知られており、また本発明とは直接関係しないので、その詳細な説明は省略する。このようにすることで、同じＲＮＣ＃１（１１）配下のセルに存在するＵＥ＃Ａ５１とＵＥ＃Ｂ５２とで、セル移動時の動作に差異を設けることができる。
【００３０】
以上、本発明をその好適な実施形態に基づいて説明したが、本発明の無線回線制御装置、無線通信システム、制御方法、及び、プログラムは、上記実施形態にのみ限定されるものではなく、上記実施形態の構成から種々の修正及び変更を施したものも、本発明の範囲に含まれる。
【図面の簡単な説明】
【００３１】
【図１】本発明の無線回線制御装置の構成を示すブロック図。
【図２】本発明の一実施形態の無線通信システムを示すブロック図。
【図３】本発明の一実施形態の無線回線制御装置の構成を示すブロック図。
【図４】変形例の無線通信システムを示すブロック図。
【図５】別の変形例の無線通信システムを示すブロック図。
【図６】ＲＡＮ  Ｓｈａｒｉｎｇを行うＲＡＮを示すブロック図。
【図７】無線回線制御装置と無線回線制御装置間を接続するＩｕｒ回線とを示すブロック図。
【符号の説明】
【００３２】
１１、１２：無線回線制御装置（ＲＮＣ）
２１、２２：コアネットワーク（ＣＮ）
３１、３２：メディアゲートウェイ（ＭＧＷ）
４１〜４４：セル
５１、５２：ユーザ装置（ＵＥ）
１０１：所属ＰＬＭＮ判別部
１０２：パス選択部
１０３：データベース
１０４：所属ＰＬＭＮ記憶部
１１０：無線回線制御装置
１１１：判別部
１１２：選択部
【図１】
2009171239.tif 000003
【図２】
2009171239.tif 000004
【図３】
2009171239.tif 000005
【図４】
2009171239.tif 000006
【図５】
2009171239.tif 000007
【図６】
2009171239.tif 000008
【図７】
2009171239.tif 000009